(57)【要約】【課題】  確実に作動しかつ占有空間が小さい懐古調表示機構を提供する。【解決手段】  懐古調表示機構は、歯車（Ｒ２）へ取付けられた星車（１）を備え、星車（１）は、斜面（Ｂ、Ｃ）をそれぞれ有する先端部分を備え、これらの斜面（Ｂ，Ｃ）に対してコハゼ（３）が押付けられ、コハゼ（３）は指針（６）およびバネ（２）とともバレル（７）に取付けられている。【選択図】      図１
2004294441.tif 000002
【特許請求の範囲】
【請求項１】
歯付き車へ取付けられる星車（１）を備え、該星車（１）は斜面（Ｂ、Ｃ）をそれぞれ有する一連の先端部分を形成しており、指針（６）へ取付けられたコハゼ（３）がバネ（２）の作用で斜面（Ｂ，Ｃ）に押付けられ、斜面（Ｂ、Ｃ）は、表示される情報に応じて形状とサイズが決められることを特徴とする懐古調表示機構。
【請求項２】
コハゼ（３）、指針（６）およびバネ（２）は、軸まわりに回転するバレル（７）に取付けられることを特徴とする請求項１に記載の懐古調表示機構。
【請求項３】
コハゼ（３）が斜面（Ｂ、Ｃ）に対するその移動行程の最後に達して別のサイクルのために次の斜面に落込んだ後の、バネ（２）の作用によるバレル（７）の巻戻しをストッパ部材（５）が阻止することを特徴とする請求項２に記載の懐古調表示機構。
【請求項４】
星車（１）の先端部分の斜面（Ｂ、Ｃ）は、線形な表示を与える形状のものであることを特徴とする請求項１に記載の懐古調表示機構。
【発明の詳細な説明】
【技術分野】
【０００１】
本発明の対象は、懐古調表示機構である。
【背景技術】
【０００２】
ラック表示機構として知られる懐古調表示機構は、短い歯先の小歯車により駆動されるものが知られている。これらのラック機構は、軸まわりに回転するラックを備え、かつそのラックへ装着される指針を有する。ラックは、比較的大きい部材であり、すなわちこれらのラック機構は、時計においてかなりの大きさの空間を占める。渦形部材と接触するコハゼから成る多数の機構も知られている。渦形部材は、軸まわりに回転するものであり、指針へ取り付けられている。渦形部材は、表示される情報に応じて製作され、またその移動行程の最後に直線部分を有するので、コハゼが、バネの作用を受けて元の位置に戻ることができる。
【発明の開示】
【発明が解決しようとする課題】
【０００３】
本発明の目的は、確実に作動しながら殆ど空間を占めない懐古調表示機構を提供することにある。
【課題を解決するための手段】
【０００４】
本発明による懐古調表示機構は、歯付き車へ装着される星車を備え、該星車は斜面をそれぞれ有する一連の先端部分を形成しており、指針へ取付けられたコハゼがバネの作用で斜面に押付けられ、斜面は、表示される情報に応じて形状とサイズが決められることを特徴とする。
【０００５】
好ましい実施例において、コハゼ、指針およびバネは、軸まわりに回転するバレルに取付けられる。また、コハゼが斜面に対するその移動行程の最後に達して別のサイクルのために次の斜面に落込んだ後の、バネの作用によるバレルの巻戻しをストッパ部材が阻止する。
【０００６】
星車の先端部分の斜面は、線形（linear）な表示を与える形状にすることができる。
【発明を実施するための最良の形態】
【０００７】
図面は、一例として、本発明に従う懐古調表示機構の１つの実施例を示す。
【０００８】
図面の図１乃至４は、単純化された懐古調表示機構を示す。時計製作において、この表示機構は、例えば、時計の動力蓄積量、またはこの場合には中央秒針を表示するのに使用される。その表示機構は、ジャンプしないという利点を有する。指針は、従来技術の多くの懐古調ムーブメントと異なり、常時動いている。
【０００９】
この機構は、
懐古調の星車１、
渦巻き状のバネ２、
懐古調のコハゼ３、
渦巻きバネの固定用ピン４、
ストッパピン５、および
指針６、を有する。
【００１０】
この懐古調機構は、歯つき車すなち歯車Ｒ１とＲ２により駆動される。懐古調の星車１は歯車Ｒ２へ取り付けられており、またその周辺に等間隔で離間する幾つかの同一形状の先端部分を有する。
【００１１】
懐古調コハゼ３の先端部分は、星車１の先端部分と常に接触しており、かつ上述の先端部分の斜面Ｂに押付けられている。渦巻き状のバネ２は、この常時の接触を維持する。軸Ａの断面（図２）により、この機構を詳細に示す。渦巻き状のバネ２は、バレル７へ取り付けられている。同様に、懐古調のコハゼ３および指針６は、バレル７へ圧嵌されている。バレル７は、軸Ａまわりに自由である。固定用ピン４は、渦巻き状のバネ２の保持に利用されている。
【００１２】
作動中、懐古調可動部材すなわち歯車Ｒ２は、時計方向に回転して、斜面Ｂにより懐古調のコハゼ３の先端部分を駆動する。その先端部分がその移動行程の最後に達すると（図３）、斜面Ｂはコハゼ３から離脱して、コハゼ３が次の斜面Ｃ上に落ち込む。この動作は、斜面Ｃから次の斜面へ繰返される。かくして指針６は、常に移動を行う。ストッパピン５は、落ち込みの際のストッパ部材として作用し、コハゼ３の先端部分が、星車１の形状の底部へ落ち込むのを防止する。
【００１３】
星車１の先端部分の斜面Ｂ、Ｃは、指針６が、図示されない文字板上を線形に（linearly）移動するよう入念に設計されている。
【００１４】
図２に示されるように、渦巻き状のバネ２、懐古調のコハゼ３および指針６は、バレル７へ圧嵌されており、その結果、上述のバレル７に対する位置をそれぞれ固定されている。
【００１５】
渦巻き状のバネ２は、固定用ピン４により引っ張りを与えられて機構のフレームへ固定されている。図１に示されるように、指針６は、その移動行程の初期において、停止部材すなわちストッパピン５に対面しており、また懐古調のコハゼ３も、その移動行程の初期において、懐古調の星車１の先端部分の斜面Ｂと接触している。歯車Ｒ２へ取付けられた星車１は、可動部材すなわち歯車Ｒ１により矢印の方向（図１と３を参照）に駆動され、ついで今度はコハゼ３を駆動し、そのコハゼ３は、歯車Ｒ１が回転すると、星車１の先端部分の斜面Ｂに沿って移動する。コハゼ３に対して固定位置にある指針６は、バネ２の作用に抗して上述のコハゼ３により駆動され、図示されない文字板上に表示される値を指示する。コハゼ３が図３に示される位置を越えて移動すると、バネ２は、コハゼ３と指針６とを、それらの元の位置に戻して、ストッパピン５に押付け、このサイクルを星車１の斜面Ｃについて再び開始できる。
【００１６】
図１乃至４を参照して上述した機構は、秒、分、時、日付、曜日および月相などの、時計により通常表示される任意の種類の情報を指示するようにすることができる。可動部材すなわち歯車Ｒ１とＲ２は、適切な寸法を有するようにしなければならないし、また星車１の先端部分は、表示される値に適合される。
【００１７】
上述の機構は、単純であるという利点、および常に移動する表示を形成するという利点を提供する。コハゼが星車の先端部分を通過するやいなや、次のサイクルが開始し、表示が中断無しに継続される。
【図面の簡単な説明】
【００１８】
【図１】本発明の一実施例による懐古調表示機構の平面図である。
【図２】表示機構における指針を保持する軸を通る断面図である。
【図３】懐古調コハゼが指針のリセット前の最終位置にある、図１と同様な図である。
【図４】懐古調星車の平面図である。
【符号の説明】
【００１９】
１  星車
２  バネ
３  コハゼ
５  ストッパピン（ストッパ部材）
６  指針
７  バレル
Ｂ，Ｃ  斜面
【図１】
2004294441.tif 000003
【図２】
2004294441.tif 000004
【図３】
2004294441.tif 000005
【図４】
2004294441.tif 000006